(57)【要約】【課題】何時でも何処でも自ら確実に治療できながら軽量且つ安価にすることを可能とする。【解決手段】開口９から奥壁１３に向けて差込収容部７へカートリッジ１５を差し込み可能なアタッチメント本体３と、アタッチメント本体３の外部に設けられ口にくわえる吸入部１７と、吸入部１７から差込収容部７に連通する吸気通路１９と、開口９に指向し差込収容部７に差し込まれたカートリッジ１５のノズル２３を差し込み可能なノズル差込部２１と、アタッチメント本体３に一端が回転自在に支持され回転移動により開口９に向けて移動し差込収容部７に差し込まれたカートリッジ１５の底部３６を押圧可能な押圧作用部３５を備えたレバー５とを備え、レバー５は、回転支持された一端から前記押圧作用部３５までのトルクアーム長Ｌ１より一端から自由端３７までのトルクアーム長Ｌ２が長く設定されていることを特徴とする。【選択図】図１
2009072563.tif 000002
【特許請求の範囲】
【請求項１】
吸入薬のカートリッジ又は吸入薬のカートリッジを装着した吸入器を収容部に着脱自在に保持可能なアタッチメント本体と、
前記アタッチメント本体に一端が回転自在に支持され回転移動により前記収容部に保持されたカートリッジの底部を押圧してカートリッジからの吸入薬の吸入を可能とする押圧作用部を有したレバーとを備え、
前記レバーは、前記回転支持された一端から前記押圧作用部までのトルクアーム長より一端から自由端までのトルクアーム長が長く設定されている、
ことを特徴とする吸入器アタッチメント。
【請求項２】
一端側が開口であり他端側が奥壁である差込収容部を備え前記開口から前記奥壁に向けて吸入薬のカートリッジを差し込み可能な筒状のアタッチメント本体と、
前記アタッチメント本体の外部に設けられ口にくわえる吸入部と、
前記吸入部から前記奥壁を貫通して前記差込収容部に連通する吸気通路と、
前記吸気通路端部で前記奥壁に設けられ前記開口に指向し前記差込収容部に差し込まれたカートリッジのノズルを差し込み可能なノズル差込部と、
前記アタッチメント本体に一端が回転自在に支持され回転移動により前記開口に向けて移動し前記差込収容部に差し込まれたカートリッジの底部を押圧可能な押圧作用部を有するレバーとを備え、
前記レバーは、前記回転支持された一端から前記押圧作用部までのトルクアーム長より一端から自由端までのトルクアーム長が長く設定されている、
ことを特徴とする吸入器アタッチメント。
【請求項３】
請求項２又は３記載の吸入器アタッチメントであって、
前記レバーは、前記アタッチメント本体に沿って屈曲形成されている、
ことを特徴とする吸入器アタッチメント。
【請求項４】
請求項２〜３の何れかに記載の吸入器アタッチメントであって、
前記吸入部は、前記アタッチメント本体の奥壁側外部に前記カートリッジの差し込み方向に交差して突出形成され、
前記レバーは、前記アタッチメント本体に対し前記吸入部の反対側に延接されている、
ことを特徴とする吸入器アタッチメント。
【請求項５】
吸入薬のカートリッジを装着した吸入器を収容して位置決めると共に一側の開口からカートリッジの底部を臨ませ他側から吸入器の吸入口を露出させる分割組立可能なアタッチメント本体と、
前記アタッチメント本体に一端が回転自在に支持され回転移動により前記開口に向けて移動し前記カートリッジの底部を押圧可能な押圧作用部を有するレバーとを備え、
前記レバーは、前記回転支持された一端から前記押圧作用部までのトルクアーム長より一端から自由端までのトルクアーム長が長く設定されている、
ことを特徴とする吸入
器アタッチメント。
【請求項６】
吸入薬のカートリッジを装着した吸入器を収容部に着脱自在に保持可能なアタッチメント本体と、
前記アタッチメント本体に一端が回転自在に支持され回転移動により前記収容部に保持されたカートリッジの底部を押圧してカートリッジからの吸入薬の吸入を可能とする押圧作用部を有したレバーとを備え、
前記押圧作用部は、一端が前記レバーに結合され他端が前記カートリッジの底部に係合して前記レバーの力を伝達し前記押圧を可能とするリンクで構成され、
前記アタッチメント本体側に、前記リンクの他端側を前記押圧方向へガイドするガイド部を設け、
前記レバーは、前記押圧作用部までのトルクアーム長より一端から自由端までのトルクアーム長が長く設定されている、
ことを特徴とする吸入器アタッチメント。
【請求項７】
吸入薬のカートリッジを装着した吸入器を収容すると共に一側の開口からカートリッジの底部を臨ませ他側から吸入器の吸入口を露出させる筒状のアタッチメント本体と、
前記アタッチメント本体の他側に退避可能に可動配置され前記吸入器に当接して前記アタッチメント本体に対し前記吸入器を位置決め可能な可動位置決め体と、
前記アタッチメント本体に一端が回転自在に支持され回転移動により前記開口に向けて移動し前記カートリッジの底部を押圧可能な押圧作用部を有するレバーとを備え、
前記レバーは、前記回転支持された一端から前記押圧作用部までのトルクアーム長より一端から自由端までのトルクアーム長が長く設定されている、
ことを特徴とする吸入器アタッチメント。
【請求項８】
請求項１〜６の何れかに記載の吸入器アタッチメントであって、
前記アタッチメント本体に、前記レバーの自由端側に対向するグリップを設けた、
ことを特徴とする吸入器アタッチメント。
【請求項９】
請求項７記載の吸入器アタッチメントであって、
前記可動位置決め体に、前記レバーの自由端側に対向するグリップを設けた、
ことを特徴とする吸入器アタッチメント。
【請求項１０】
請求項８又は９記載の吸入器アタッチメントであって、
前記レバーとグリップとの間に、レバーをグリップに引き寄せるための紐状操作部を設けた、
ことを特徴とする吸入器アタッチメント。
【発明の詳細な説明】
【技術分野】
【０００１】
本発明は、カートリッジから噴霧される治療薬を吸入する際の補助用具として供される吸入器アタッチメントに関する。
【背景技術】
【０００２】
従来より、喘息患者等がカートリッジから噴霧される治療薬を吸入する際に、アタッチメントにスプレー式のカートリッジを差し込んで使用するもの等があった。
【０００３】
このアタッチメントは、筒状の本体の端部に吸入部を備えたものであり、本体に圧力スプレー式のカートリッジを差し込み、吸入部を口にくわえてカートリッジから内圧により噴射される治療薬を吸い込むようにする。
【０００４】
この場合、アタッチメントに差し込んだカートリッジの端部に人差し指等を当て、且つ親指をカートリッジの端部に対してアタッチメントの反対側に当て、両指に力を加えて挟む力Ｐによりカートリッジの噴霧動作を促す噴出荷重Ｐ０を負荷する。
【０００５】
なお、治療薬が噴霧されるとき数秒ほどゆっくりと息を吸い続け、使用を終了する。
【０００６】
かかる使用状況において、患者は、力が衰え、非力で有る場合が多く、両指での挟む力Ｐが噴出荷重Ｐ０にまで至らず介護を必要とする場合もあった。
【０００７】
また、患者はカートリッジ及びアタッチメントを常時携帯し、発作に対処する必要がある。この場合、何時でも何処でも自ら確実に治療できるように小型の電動コンプレッサーが用いられる場合もある。
【０００８】
しかし、電動コンプレッサーでは、携帯するのに重量が嵩み、高価でもあった。
【非特許文献１】http://homepage3.nifty.com/kodomoER/astma/airspray.htm
【非特許文献２】http://www.hosp.go.jp/~mfukuoka/asthma/p_asthma/abook18.htm
【発明の開示】
【発明が解決しようとする課題】
【０００９】
解決しようとする問題点は、何時でも何処でも自ら確実に治療できる小型の電動コンプレッサーを用いたものでは、重量が嵩み、且つ高価な点である。
【課題を解決するための手段】
【００１０】
本発明は、何時でも何処でも自ら確実に治療できながら軽量且つ安価にするため、吸入薬のカートリッジ又は吸入薬のカートリッジを装着した吸入器を収容部に着脱自在に保持可能なアタッチメント本体と、前記アタッチメント本体に一端が回転自在に支持され回転移動により前記収容部に保持されたカートリッジの底部を押圧してカートリッジからの吸入薬の吸入を可能とする押圧作用部を有したレバーとを備え、前記レバーは、前記回転支持された一端から前記押圧作用部までのトルクアーム長より一端から自由端までのトルクアーム長が長く設定されていることを最も主要な特徴とする。
【発明の効果】
【００１１】
本発明の吸入器アタッチメントでは、吸入薬のカートリッジ又は吸入薬のカートリッジを装着した吸入器を収容部に着脱自在に保持可能なアタッチメント本体と、前記アタッチメント本体に一端が回転自在に支持され回転移動により前記収容部に保持されたカートリッジの底部を押圧してカートリッジからの吸入薬の吸入を可能とする押圧作用部を有したレバーとを備え、前記レバーは、前記回転支持された一端から前記押圧作用部までのトルクアーム長より一端から自由端までのトルクアーム長が長く設定されている。
【００１２】
このため、レバーの自由端側を回転操作することにより押圧作用部がカートリッジの底部を押圧し、レバーの操作力を増幅した力でカートリッジに押圧力を付与することができる。
【００１３】
従って、患者は、何時でも何処でも自らの力で確実に治療でき、しかも、電動コンプレッサーを用いないので、軽量且つ安価に提供することができる。
【発明を実施するための最良の形態】
【００１４】
何時でも何処でも自ら確実に治療できながら軽量且つ安価にするという目的を、回転支持された一端から押圧作用部までのトルクアーム長より一端から自由端までのトルクアーム長が長いレバーを備えた吸入器アタッチメントにより実現した。
【実施例１】
【００１５】
［吸入器アタッチメント］
図１は、本発明の実施例１に係る吸入器アタッチメントの縦断面図、図２は、図１のＩＩ−ＩＩ線矢視断面図である。
【００１６】
図１，図２のように、吸入器アタッチメント１は、樹脂製等のアタッチメント本体３及びレバー５を備えている。
【００１７】
アタッチメント本体３は、全体が樹脂などで筒状に形成され、収容部として横断面が円形の穴部である差込収容部７を備えている。差込収容部７は、一端側が開口９となると共に他端側が奥壁１３となり、開口９から前記奥壁１３に向けてカートリッジ１５を差し込み可能になっている。
【００１８】
アタッチメント本体３の外部には、吸入部１７が設けられている。この吸入部１７は、アタッチメント本体３の奥壁１３側外部に前記カートリッジ１５の差し込み方向に交差して突出形成されている。吸入部１７は、治療薬を吸入するときに口にくわえる部分であり、中空横長の楕円形状に形成されている。
【００１９】
吸入部１７から奥壁１３に渡り吸気通路１９が貫通形成され、この吸気通路１９は、差込収容部７の中心部に連通している。
【００２０】
吸気通路１９端部で前記奥壁１３にノズル差込部２１が設けられている。ノズル差込部２１は、前記開口９に指向して形成されている。このノズル差込部２１に、カートリッジ１５のノズル２３を差し込み可能となっている。
【００２１】
アタッチメント本体３の外部には、開口９側において軸支持部２５が一体に一対形成されている。また、アタッチメント本体３には、レバー５の自由端側に対向するグリップ２７が一体に設けられている。グリップ２７には、グリップ側挿通孔２９が設けられている。  
【００２２】
レバー５は、アタッチメント本体３の軸支持部２５に一端３１がピン３３により回転自在に支持され、アタッチメント本体３に対し前記吸入部１７の反対側に延接されている。
【００２３】
レバー５は、アタッチメント本体３に沿って屈曲形成され、一端３１側に突形状の押圧作用部３５を一体に備えている。押圧作用部３５は、レバー５の回転移動により開口９に向けて移動し前記差込収容部７に差し込まれたカートリッジ１５の底部３６を押圧可能となっている。レバー５の自由端３７側には、レバー側挿通孔３９が形成され、この自由端３７側にアタッチメント本体３のグリップ２７が対向している。この対向状態では、押圧作用部３５がカートリッジ１５の底部３６に当接し、レバー側挿通孔３９がグリップ側挿通孔２９にほぼ直線状態で指向している。
【００２４】
このレバー５は、一端３１を支持するピン３３の回転中心から押圧作用部３５までのトルクアーム長Ｌ１より一端３１を支持するピン３３の回転中心から自由端３７側までのトルクアーム長Ｌ２が長く設定されている。Ｌ１，Ｌ２は、回転中心からの回転力の大きさに係わるアーム長であり、Ｌ１は、回転中心から押圧作用部３５がカートリッジ１５の底部３６に接する接点までの距離であり、Ｌ２は、回転中心からレバー５の操作力作用部となり得るレバー挿通孔３９までの距離である。
【００２５】
レバー５とグリップ２７との間に、紐状操作部４１が設けられている。紐状操作部４１は、レバー５をグリップ２７に引き寄せるためのものであり、紐体４３、リング部４５、及びストッパ４７を備えている。
【００２６】
紐体４３は、レバー側挿通孔３９及びグリップ側挿通孔２９に挿通され、一端４９が、レバー５に係合し、抜け止められている。リング部４５は、紐体４３の他端５１に取り付けられ、指を掛けて引くことができるものである。ストッパ４７は、紐体４３を貫通させ、紐体４３との間の摩擦力により位置決められる。ストッパ４７は、紐体４３に沿って摩擦力以上の力を加えることで移動させることができる。ストッパ４７は、省略しても良い。
【００２７】
［噴射操作］
噴射操作に際しては、まずレバー５を引き上げて開口９を開き、カートリッジ１５を差込収容部７へ差し込む。このときカートリッジ１５は、ノズル２３側から差し込まれ、ノズル２３をノズル差込部２１に差し込ませ、カートリッジ１５の吸入器アタッチメント１に対する装着が完了する。
【００２８】
レバー５を引き下げてピン３３を中心に回転させ、図１のように押圧作用部３５をカートリッジ１５の底部３６に当接させる。
【００２９】
アタッチメント本体３を一方の手で握り、吸入部１７を口にくわえる。
【００３０】
他方の手で、親指側をグリップ２７に掛け、残りの指をレバー５の自由端３７側に掛け、レバー５をグリップ２７に近づけるように握り力を与える。片方の手でグリップ２７と自由端３７とを握ることによってアタッチメント本体３を支えることもできる。
【００３１】
このレバー５への握り力は、アーム比Ｌ２：Ｌ１により増幅して押圧作用部３５に伝達され、増幅した力で押圧作用部３５がカートリッジ１５の底部３６を押圧する。
【００３２】
この押圧によりノズル２３に力が働き、カートリッジ１５の内圧によりノズル２３を通り吸気通路１９へ治療薬が噴出される。
【００３３】
吸気通路１９の治療薬は、吸入部１７に噴霧されるので、数秒ほどゆっくり息を吸い続け、使用を終了する。
【００３４】
なお、レバー５の操作は、紐状操作部４１によっても行うことができる。この場合は、一方の手でアタッチメント本体３を握り、リング部４５に他方の手の指
を掛け、紐体４３を引くことでレバー５をグリップ２７側へ引き寄せるように力を掛ける。この力により、上記同様に治療薬を噴霧させることができる。この場合、吸入器アタッチメント１を介護用ベッドに取り付け、吸入部１７にホースを取り付けてベッドに横たわる患者の口まで延長する。患者は、紐体４３を引くことで薬液を簡単に吸入することができる。
【００３５】
レバー５をグリップ２７へ引き寄せた状態でストッパ４７をグリップ２７に当接させるように位置決めることで、レバー５の操作状態を有る程度維持させることができる。レバー５の位置決め状態は、ストッパ４７をずらせることで、簡単に解除することができる。
【００３６】
なお、カートリッジ１５の外径と差込収容部７の内径とが多少相違しても、ノズル２３をノズル差込部２１へ差し込むことができれば、吸入器アタッチメント１の使用は可能である。
【００３７】
［実施例１の効果］
本発明実施例１の吸入器アタッチメント１では、一端側が開口９であり他端側が奥壁１３である差込収容部７を備え前記開口９から前記奥壁１３に向けてカートリッジ１５を差し込み可能な筒状のアタッチメント本体３と、前記アタッチメント本体３の外部に設けられ口にくわえる吸入部１７と、前記吸入部１７から前記奥壁１３を貫通して前記差込収容部７に連通する吸気通路１９と、前記吸気通路１９端部で前記奥壁１３に設けられ前記開口９に指向し前記差込収容部７に差し込まれたカートリッジ１５のノズル２３を差し込み可能なノズル差込部２１と、前記アタッチメント本体３に一端が回転自在に支持され回転移動により前記開口９に向けて移動し前記差込収容部７に差し込まれたカートリッジ１５の底部３６を押圧可能な押圧作用部３５を備えたレバー５とを備え、前記レバー５は、前記回転支持された一端から前記押圧作用部３５までのトルクアーム長Ｌ１より一端から自由端３７までのトルクアーム長Ｌ２が長く設定されている。
【００３８】
このため、レバー５の自由端３７側を回転操作することにより押圧作用部３５がカートリッジ１５の底部３６を押圧し、レバー５の操作力を増幅した力でカートリッジ１５に押圧力を付与することができる。
【００３９】
従って、患者は、軽い力で何時でも何処でも自らの力で確実に噴霧させ治療することができる。しかも、電動コンプレッサーを用いないので、軽量且つ安価に提供することができる。特に、吸入器アタッチメント１は、全体が樹脂により形成され、軽量化を図ることができる。
【００４０】
但し、吸入器アタッチメント１の一部或いは全体を、アルミニウム等の軽金属で形成することも可能である。
【００４１】
レバー５は、前記アタッチメント本体３に沿って屈曲形成されている。
【００４２】
従って、アタッチメント本体３やグリップ２７に対してレバー５の握り操作を容易にすることができ、且つ全体をコンパクトに形成することができる。
【００４３】
吸入部１７は、前記アタッチメント本体３の奥壁１３側外部に前記カートリッジ１５の差し込み方向に交差して突出形成され、前記レバー５は、前記アタッチメント本体３に対し前記吸入部１７の反対側に延接されている。
【００４４】
従って、レバー５の微妙な操作を容易にすることができる。
【００４５】
アタッチメント本体３に、前記レバー５の自由端３７側に対向するグリップ２７を設けた。
【００４６】
従って、レバー５の操作を容易にすることができる。
【００４７】
レバー５とグリップ２７との間に、レバー５をグリップ２７に引き寄せるための紐状操作部４１を設けた。
【００４８】
従って、レバー５及びグリップ２７の握り動作ができなくても、紐状操作部４１のリング部４５を引くことでレバー５を容易に操作することができる。
【実施例２】
【００４９】
図３は、本発明の実施例２に係る吸入器アタッチメントの分割合わせ面を示す側面図である。基本的な構成は図１，図２と同様であり、同一又は対応する構成部分には、同符号又は同符号にＡを付して説明する。
【００５０】
図３の吸入器アタッチメント１Ａは、アタッチメント本体３Ａが縦割りの２分割構成の合わせ形状に形成されたものである。図３では、分割した一方の分割合わせ面を示している。
【００５１】
アタッチメント本体３Ａの本体分割部分３ａ，３ｂは、分割合わせ面５３での合わせ構造に形成され、各本体分割部分３ａ，３ｂを各分割合わせ面５３で合わせることにより一体的なアタッチメント本体３Ａとする。
【００５２】
前記レバー５とこれを回転自在に支持する軸支持部２５及びピン３３は、全て一方の本体分割部分３ａに設けられている。
【００５３】
各分割部分３ａ，３ｂの相互結合のために、各分割合わせ面５３に沿って締結部５５が複数形成され、グリップ分割部分２７ａ，２７ｂに締結孔５７，５９が設けられている。各本体分割部分３ａ，３ｂが分割合わせ面５３で合わせられ、締結部５５、締結孔５７，５９がビスなどで締結されることによりアタッチメント本体３Ａが一体的に形成され、内部に分割差込収容部７ａ，７ｂを合わせた差込収容部７Ａが形成される。
【００５４】
吸気通路１９、奥壁１３、グリップ側挿通孔２９も、各分割部分１９ａ，１９ｂ、１３ａ，１３ｂ、２９ａ，２９ｂの合わせ構造となっている。
【００５５】
アタッチメント本体３ＡのＩＩ−ＩＩ線矢視断面は、アタッチメント本体３Ａが分割された本体分割部分３ａ，３ｂで構成されていることを除けば、図２と同様である。
【００５６】
他の構成及び噴霧作用は、実施例１と同様である。
【００５７】
従って、本実施例２でも、実施例１と同様な作用効果を奏することができる。
【００５８】
また、本実施例２では、各本体分割部分３ａ，３ｂを分解し、清掃等を容易に行わせることができる。
【００５９】
なお、グリップ２７の部分も分割することなく本体分割部分３ａ又は３ｂの一方に形成することもできる。
【００６０】
分割合わせ面を、図３のＩＩ−ＩＩ線の箇所でレバー５の下側において形成することにより、図３の左右に分割される本体分割部分の一方にレバー５を分割せずに支持させ、同他方にグリップを分割せずに支持させる構成にすることができる。
【００６１】
本体分割部分３ａ，３ｂ（分割面を変更したものも含めて）は、ワンタッチ形式の結合部材により結合させることも可能である。
【実施例３】
【００６２】
図４は、本発明の実施例３に係り、一部を断面とした吸入器アタッチメントの分割正面図である。基本的な構成は図３の実施例２と同様であり、同一又は対応する構成部分には、同符号又は同符号にＢを付し或いは同符号のＡをＢに代えて説明する。
【００６３】
図４の吸入器アタッチメント１Ｂは、アタッチメント本体３Ｂが縦割りの２分割構成の合わせ形状に形成され、吸入薬のカートリッジ１５を装着した市販の吸入器６１を収容して使用できるようにした。
【００６４】
アタッチメント本体３Ｂの本体分割部分３ａＢ，３ｂＢは、分割合わせ面５３Ｂでの合わせ構造に形成され、本体分割部分３ａＢ，３ｂＢを各分割合わせ面５３Ｂで合わせることにより一体的なアタッチメント本体３Ｂとする。アタッチメント本体３Ｂの分割態様の変更は、実施例２と同様である。
【００６５】
各本体分割部分３ａＢ，３ｂＢの相互結合のために、実施例２同様に各分割合わせ面５３Ｂに沿って締結部５５が複数形成され、グリップ分割部分２７ａ，２７ｂに締結孔５７，５９が設けられている。各本体分割部分３ａＢ，３ｂＢが分割合わせ面５３Ｂで合わせられ、締結部５５、締結孔５７，５９がビスなどで締結されることによりアタッチメント本体３Ｂが一体的に形成され、内部に分割差込収容部７ａＢ，７ｂＢを合わせた差込収容部７Ｂが差し込み方向で段付き状に形成される。
【００６６】
差込収容部７Ｂには、吸入器６１を位置決める係止部６３が設けられている。係止部６３も分割部分６３ａ，６３ｂの合わせ構造となっている。
【００６７】
従って、組み合わせたアタッチメント本体３Ｂに対し、カートリッジ１５を装着した吸入器６１を収容して係止部６３で位置決めると共に一側の開口９からカートリッジ１５の底部を臨ませ他側から吸入器６１の吸入口６１ａを露出させることができる。
【００６８】
従って、本実施例でも、レバー５及びグリップ２７により、実施例１，２と同様な効果を奏することができる。また、本実施例では、アタッチメント本体３Ｂの分割、組立により、吸入薬のカートリッジ１５を装着した市販の吸入器６１を収容して容易に使用することができる。さらに、患者の力が回復したときには、アタッチメント本体３Ｂからカートリッジ１５を装着した吸入器６１を取り外すことで吸入器６１本来の使用ができる。
【実施例４】
【００６９】
図５〜図７は、本発明の実施例４に係る吸入器アタッチメントに係り、図５は、側面図、図６は、正面図、図７は、作用説明図である。基本的な構成は図４の実施例３と同様であり、同一又は対応する構成部分には、同符号又は同符号にＣを付し或いは同符号のＢをＣに代えて説明する。
【００７０】
本実施例の吸入器アタッチメント１Ｃは、実施例３と比較してアタッチメント本体３Ｃを筒状とし、実施例３での係止部６３に代えて可動位置決め体６５を設けた。アタッチメント本体３Ｃには、差込収容部７Ｃが差し込み方向で段付き状に形成され、吸入薬のカートリッジ１５を装着した吸入器６１を収容すると共に一側の開口９からカートリッジ１５の底部を臨ませ他側から吸入器６１の吸入口６１ａを露出させる構成となっている。
【００７１】
可動位置決め体６５は、アタッチメント本体３Ｃの一側の開口９に対し、他側に退避可能に可動配置され、吸入器６１の底部６１ｂに当接して前記アタッチメント本体３Ｃに対し前記吸入器６１を位置決め可能となっている。
【００７２】
すなわち、可動位置決め体６５には、一対のアーム部６７ａ，６７ｂが設けられ、アタッチメント本体３Ｃの側面両側に形成された差込ガイド部６９ａ，６９ｂに抜き差し移動可能に差し込まれている。
【００７３】
アーム部６７ａ，６７ｂには、長孔７１が形成され、差込ガイド部６９ａ，６９ｂに設けられたガイドピン７３が嵌合している。差込ガイド部６９ａ，６９ｂには、ガイドピン７３側においてアーム部６７ａ，６７ｂの回転動作を可能とするスリット７５が設けられている。
【００７４】
アーム部６７ａ，６７ｂの端部には、当接部７７が設けられている。当接部７７は、湾曲した当接面７９を備えている。
【００７５】
可動位置決め体６５には、当接部７７から延びレバー５の自由端側に対向するグリップ２７Ｃが設けられている。
【００７６】
本実施例の吸入器アタッチメント１Ｃでは、図５，図６のように差込収容部７Ｃに吸入薬のカートリッジ１５を装着した吸入器６１を収容する。可動位置決め体６５は、アーム部６７ａ，６７ｂを差込ガイド部６９ａ，６９ｂに奥側まで差し込んで当接部７７の当接面７９を吸入器６１に当てる。
【００７７】
この状態で、実施例１と同様に、レバー５をグリップ２７Ｃに引き寄せることで吸入ができる。
【００７８】
カートリッジ１５を装着した吸入器６１を取り外し、或いは取り付けるには、図７のように差込ガイド部６９ａ，６９ｂからアーム部６７ａ，６７ｂを引き出し、アーム部６７ａ，６７ｂの先端側で長孔７１がガイドピン７３に係合したら可動位置決め体６５をガイドピン７３を中心に回転させる。このとき、差込ガイド部６９ａ，６９ｂのスリット７５により、アーム部６７ａ，６７ｂが差込ガイド部６９ａ，６９ｂに対して無理なく回転することができる。
【００７９】
可動位置決め体６５が回転退避すると、吸入器６１の拘束が開放されるので、カートリッジ１５を装着した吸入器６１を差込収容部７Ｃから抜き取り、取り外すことができる。カートリッジ１５を装着した吸入器６１を取り付けるときも、図７のように可動位置決め体６５を回転退避させて行う。
【００８０】
従って、本実施例においても、カートリッジ１５を装着した吸入器６１の取り外しができ、実施例３と同様な効果を奏することができる。
【００８１】
なお、本実施例においても、グリップ２７Ｃに紐を取り付けることができるのは勿論である。
【実施例５】
【００８２】
図８〜図１１は、本発明の実施例５に係る吸入器アタッチメントに係り、図８は、カートリッジを装着した吸入器を離脱した状態で示す吸入器アタッチメントの側面図、図９は、カートリッジを装着した吸入器を保持させた状態で示す吸入器アタッチメントの側面図、図１０は、吸入器アタッチメントの平面図、図１１は、吸入器アタッチメントの図１０ＸＩ矢視方向の正面図である。なお、基本的な構成は図５の実施例４と同様であり、同一又は対応する構成部分には、同符号又は同符号にＤを付し或いは同符号のＣをＤに代えて説明する。
【００８３】
図８〜図１１のように、本実施例の吸入器アタッチメント１Ｄは、カートリッジ１５を装着した吸入器６１を着脱自在に保持可能な点で実施例４と共通し、レバー５Ｄがアタッチメント本体３Ｄに回転自在に支持されている点で実施例１と共通する。
【００８４】
具体的には、樹脂製等のアタッチメント本体３Ｄが収容部７Ｄを有し、下端に金属・樹脂製等のグリップ２７Ｄがビス止めなどにより一体的に設けられている。
【００８５】
前記収容部７Ｄは、断面半円形状の収容壁部８１により形成され、吸入薬のカートリッジ１５を装着した吸入器６１を収容部７Ｄに着脱自在に保持可能にする。収容壁部８１は、図１０のように両縁部８１ａが断面半円形の１８０°の範囲を超えるように僅かに延長して形成されている。両縁部８１ａの間隔は、例えば吸入器６１の断面円形の外周面の直径よりも多少小さく形成するのがよい。両縁部８１ａの間隔が、吸入器６１の断面円形の外周面の直径よりも多少小さく形成されることによって、収容部７Ｄ内で吸入器６１の断面円形の外周面を両縁部８１ａで抱きかかえる形態で保持させることができる。
【００８６】
収容部７Ｄの下端には、支持底部８３が形成されている。支持底部８３の縁部８３ａは、例えば吸入器６１の形状に合わせて弧状に形成されている。収容壁部８１の上部の縁部８１側には、スリット状のガイド部８５，８７が両側に形成されている。ガイド部８５，８７は、後述するリンク３５Ｄの他端側をカートリッジ１５の押圧方向へガイドする形状となっている。なお、ガイド部８５，８７は、スリットに限らず、収容壁部８１の端縁により構成することもできる。
【００８７】
前記グリップ２７Ｄは、断面が凹状に形成され、強度アップと軽量化とが図られている。
【００８８】
レバー５Ｄは、結合アーム部８９及びレバー・アーム部９１が一体に形成されたものである。結合アーム部８９は、二股に形成され、レバー５Ｄの一端である先端８９ａ側が収容壁部８１の下方においてアタッチメント本体３Ｄ両側にピン８２により回転自在に結合されている。レバー・アーム部９１は、断面が下部開放の矩形枠状に形成され、強度アップと軽量化とが図られている。
【００８９】
前記レバー５Ｄは、押圧作用部を構成するリンク３５Ｄを備えている。リンク３５Ｄは、金属線材により図１１のように下端開放の枠状に形成され、上端に押圧係合部３５Ｄａを備え、下端両側に回転結合部３５Ｄｂを備えている。リンク３５Ｄは、一端の回転結合部３５Ｄｂがレバー５Ｄの結合アーム部８９の孔にそれぞれ相対回転自在に結合され、他端の押圧係合部３５Ｄａがガイド部８５，８７に上下スライド可能に支持されている。但し、リンク３５Ｄを結合アーム部８９に固着することもできる。固着することにより動作部時にリンク３５Ｄに働く無理な曲げ力等は，リンク３５Ｄの変形により吸収させることもできる。その場合、押圧係合部３５Ｄａを筒に通し，その筒が回転しながらガイド部８５、８７を上下できるようにすることによって、リンク３５Ｄの変形により生じる力は、レバー５Ｄを元の位置に戻すように働くことになる。すなわち，固着することにより動作時にリンク３５Ｄに働く無理な曲げ力等は、リンク３５Ｄを変形させるが，その変形力がレバー５Ｄを元の位置に復元させるのに役立つ。
【００９０】
ガイド部８５，８７により押圧係合部３５Ｄａをカートリッジ１５の押圧方向へガイド可能となっている。従って、リンク３５Ｄの他端の押圧係合部３５Ｄａがカートリッジ１５の底部３６に係合して前記リンク３５Ｄの力を伝達しカートリッジ１５の底部３６の押圧を可能とする。
【００９１】
かかる構成において、前記レバー５Ｄは、前記押圧作用部であるリンク３５Ｄまでのトルクアーム長Ｌ１より一端のピン８２中心から自由端３７までのトルクアーム長Ｌ２が長く設定されている。
［カートリッジ１５を装着した吸入器６１の着脱］
本実施例の吸入器アタッチメント１Ｄでは、カートリッジ１５を装着した吸入器６１の着脱時、図８の実線図示のようにレバー５Ｄをグリップ２７Ｄから離間するように回転移動させて置く。
【００９２】
この状態で、吸入薬のカートリッジ１５を装着した吸入器６１を、アタッチメント本体３Ｄの収容部７Ｄに対向させ、矢印のように移動させ収容壁部８１の両縁部８１ａの多少の弾性変形を介して収容部７Ｄに押し込み、図９のように保持させる。
【００９３】
収容部７Ｄ内では、吸入器６１の底部６１ｂが収容部７Ｄ内の支持底部８３上に支持され、吸入器６１の断面円形の外周面が収容壁部８１の両縁部８１ａにより抱きかかえる形態で安定保持される。従って、吸入器アタッチメント１Ｄを斜めに持つなどしても収容部７Ｄからカートリッジ１５を装着した吸入器６１が脱落するのを抑制又は防止することができる。
【００９４】
カートリッジ１５を装着した吸入器６１をアタッチメント本体３Ｄから取り外すときは、そのまま図８の反矢印方向に引き抜く。この引き抜きにより収容壁部８１の両縁部８１ａの多少の弾性変形を介し、カートリッジ１５を装着した吸入器６１を収容部７Ｄからそのまま取り外すことができる。
［薬液の吸入］
吸入薬のカートリッジ１５を装着した吸入器６１を、アタッチメント本体３Ｄの収容部７Ｄに支持させた状態でグリップ２７Ｄ及びレバー５Ｄを握り、レバー５Ｄをピン８２中心に矢印のように一点鎖線図示方向へ回転移動させる。
【００９５】
レバー５Ｄの回転によりリンク３５Ｄの回転結合部３５Ｄｂからリンク３５Ｄに引き込み力が伝達される。この引き込み力によりレバー５Ｄの回転途中で押圧係合部３５Ｄａが収容部７Ｄ内のカートリッジ１５の底部３６に当接係合する。
【００９６】
レバー５Ｄの回転操作を続けると押圧係合部３５Ｄａがカートリッジ１５の底部３６を押圧する。この押圧で押圧係合部３５Ｄａと収容部７Ｄの支持底部８３との間でカートリッジ１５の底部３６と吸入器６１の底部６１ｂとが押圧力を受け、カートリッジ１５の底部３６と吸入器６１の底部６１ｂとを手で直接押圧するのと同様に吸入器６１の吸入口６１ａから噴霧された薬液を吸入することができる。
【００９７】
なお、本実施例においても、実施例１等の紐状操作部４１と同様にレバー５Ｄ及びグリップ２７Ｄ間に紐状操作部を設けることもできる。
【図面の簡単な説明】
【００９８】
【図１】吸入器アタッチメントの縦断面図である（実施例１）。
【図２】図１のＩＩ−ＩＩ線矢視断面図である（実施例１）。
【図３】吸入器アタッチメントの分割合わせ面を示す側面図である（実施例２）。
【図４】吸入器アタッチメントの分割合わせ面を示す側面図である（実施例３）。
【図５】吸入器アタッチメントの側面図である（実施例４）。
【図６】吸入器アタッチメントの正面図である（実施例４）。
【図７】吸入器アタッチメントの作用説明図である（実施例４）。
【図８】カートリッジを装着した吸入器を離脱した状態で示す吸入器アタッチメントの側面図である（実施例５）。
【図９】カートリッジを装着した吸入器を保持させた状態で示す吸入器アタッチメントの側面図である（実施例５）。
【図１０】吸入器アタッチメントの平面図である（実施例５）。
【図１１】吸入器アタッチメントの図１０ＸＩ矢視方向の正面図である（実施例５）。
【符号の説明】
【００９９】
１，１Ａ，１Ｂ，１Ｃ，１Ｄ  吸入器アタッチメント  
３，３Ａ，３Ｂ，３Ｃ，３Ｄ  アタッチメント本体  
５，５Ｄ  レバー
７，７Ｂ，７Ｃ  差込収容部（収容部）
７Ｄ  収容部
９  開口  
１３  奥壁
１５  カートリッジ
１７  吸入部
１９  吸気通路
２１  ノズル差込部
２３  ノズル
２７，２７Ｃ，２７Ｄ  グリップ
３５  押圧作用部
３５Ｄ  リンク（押圧作用部）
３６  底部
３７  自由端
６１ａ  吸入口
６５  可動位置決め体
８５，８７  ガイド部
Ｌ１  回転支持された一端から押圧作用部までの長さ
Ｌ２  一端から自由端までの長さ
【図１】
2009072563.tif 000003
【図２】
2009072563.tif 000004
【図３】
2009072563.tif 000005
【図４】
2009072563.tif 000006
【図５】
2009072563.tif 000007
【図６】
2009072563.tif 000008
【図７】
2009072563.tif 000009
【図８】
2009072563.tif 000010
【図９】
2009072563.tif 000011
【図１０】
2009072563.tif 000012
【図１１】
2009072563.tif 000013